(57)【要約】【課題】印刷機において、異なる種類の印刷物を同時に印刷可能とすることで作業効率の向上を図ると共に、印刷作業の安全性を確保し、且つ、印刷品質の向上を可能とする。【解決手段】複数の給紙ユニットＲ１〜Ｒ４を有する給紙装置Ｒと、ウェブに印刷を行う複数の印刷ユニットＵ１〜Ｕ３を有する印刷装置Ｕと、複数のウェブから折帖を形成する複数の折ユニットＦ１，Ｆ２を有する折機Ｆと、印刷ユニットＵ１〜Ｕ３から折ユニットＦ１，Ｆ２への搬送経路を変更可能なウェブパス装置Ｄと、複数組の組合せユニットを設定して駆動制御可能な運転管理制御装置３５とにより構成し、所定の組合せユニットにより搬送されるウェブと他の組合せユニットにより搬送されるウェブとの干渉を防止する仕切部材４１〜４４と、安全カバー７４，７５を設ける。【選択図】図１
2010274604.tif 000002
【特許請求の範囲】
【請求項１】
巻取紙からウェブを供給する複数の給紙ユニットを有する給紙装置と、
前記給紙装置から繰り出されたウェブに印刷を行う複数の印刷ユニットを有する印刷装置と、
前記印刷装置により印刷が施された複数のウェブを重ねて断裁すると共に折り畳むことで折帖を形成する複数の折ユニットを有する折機と、
前記複数の印刷ユニットから前記複数の折ユニットへの搬送経路を変更可能なウェブパス装置と、
前記複数の給紙ユニットと前記複数の印刷ユニットと前記複数の折ユニットから複数組の組合せユニットを設定して駆動制御可能な制御装置と、
を備える印刷機において、
所定の組合せユニットにより搬送されるウェブと他の組合せユニットにより搬送されるウェブとの干渉を防止する仕切部材が設けられる、
ことを特徴とする印刷機。
【請求項２】
前記折機を収容する部屋が設けられ、該部屋内に前記複数の折ユニットを区画するように前記仕切部材が配置されることを特徴とする請求項１に記載の印刷機。
【請求項３】
前記仕切部材により区画された各部屋に開閉自在な安全カバーがそれぞれ設けられることを特徴とする請求項２に記載の印刷機。
【請求項４】
前記複数の安全カバーの開放状態を検出する検出器がそれぞれ設けられ、前記制御装置は、複数組の組合せユニットを設定してそれぞれ駆動制御することで複数種類の印刷物を印刷するとき、前記検出器のいずれかが前記安全カバーの開放状態を検出すると、検出した前記安全カバーが設けられる前記部屋内の前記折ユニットに対応する前記組合せユニットの駆動を停止可能であることを特徴とする請求項３に記載の印刷機。
【請求項５】
前記複数の安全カバーの開放状態を検出する検出器がそれぞれ設けられ、前記制御装置は、１組の組合せユニットを設定して駆動制御することで１種類の印刷物を印刷するとき、前記検出器のいずれかが前記安全カバーの開放状態を検出すると、作動状態にある前記給紙ユニットと前記印刷ユニットと前記折ユニットの全ての駆動を停止可能であることを特徴とする請求項３に記載の印刷機。
【請求項６】
前記部屋に隣接する前記折ユニットの間に前記仕切部材が２つ配置され、該２つの仕切部材に前記安全カバーが設けられることを特徴とする請求項３から５のいずれか一つに記載の印刷機。
【請求項７】
前記安全カバーは、前記折ユニットにおける折畳部に対向する上部着脱カバーと、前記折ユニットにおける排紙部に対向する下部スライドカバーを有することを特徴とする請求項６に記載の印刷機。
【請求項８】
前記２つの仕切部材に区画される空間に出入り可能な開閉扉が設けられることを特徴とする請求項６または７に記載の印刷機。
【請求項９】
前記複数の印刷ユニットで印刷されたウェブが前記複数の折ユニットまで搬送されるウェブ搬送経路であって、対向して搬送される複数のウェブの間に前記仕切部材が配置されることを特徴とする請求項１に記載の印刷機。
【請求項１０】
前記仕切部材は、前記印刷ユニットから前記折ユニットまでウェブを挿通させるとき、ウェブ弛み部に配置されることを特徴とする請求項９に記載の印刷機。
【請求項１１】
ガイドローラにウェブが所定角度だけ巻き付けられて搬送されるウェブ搬送経路であって、前記仕切部材は、前記ガイドローラに巻き付けられるウェブの外側に配置されることを特徴とする請求項９または１０に記載の印刷機。
【請求項１２】
ウェブの搬送方向の前後に配置される一対のガイドローラの下側にウェブに巻き付けられて搬送されるウェブ搬送経路であって、前記仕切部材は、前記ガイドローラに巻き付けられるウェブの下側に配置されることを特徴とする請求項９または１０に記載の印刷機。
【請求項１３】
一対のウェブの距離が２０ｍｍ以内で搬送されるウェブ搬送経路であって、前記仕切部材は、一対のウェブの間に配置されることを特徴とする請求項９または１０に記載の印刷機。
【請求項１４】
前記仕切部材は、スリッタまたはコンペンセータに設けられることを特徴とする請求項９から１３のいずれか一つに記載の印刷機。
【請求項１５】
巻取紙からウェブを供給する複数の給紙ユニットを有する給紙装置と、
前記給紙装置から繰り出されたウェブに印刷を行う複数の印刷ユニットを有する印刷装置と、
前記印刷装置により印刷が施された複数のウェブを重ねて断裁すると共に折り畳むことで折帖を形成する複数の折ユニットを有する折機と、
前記複数の印刷ユニットから前記複数の折ユニットへの搬送経路を変更可能なウェブパス装置と、
前記折機を収容する部屋内に前記複数の折ユニットを区画するように配置されてウェブの干渉を防止する仕切部材と、
前記仕切部材により区画された各部屋を開閉自在な複数の安全カバーと、
を備える印刷機において、
前記複数の給紙ユニットと前記複数の印刷ユニットと前記複数の折ユニットから複数組の組合せユニットを設定して複数種類の印刷物を印刷するとき、前記安全カバーのいずれかが開放されると、開放された安全カバーに対応する前記組合せユニットの駆動を停止する一方、
前記複数の給紙ユニットと前記複数の印刷ユニットと前記複数の折ユニットから１組の組合せユニットを設定して１種類の印刷物を印刷するとき、前記安全カバーのいずれかが開放されると、作動状態にある前記給紙ユニットと前記印刷ユニットと前記折ユニットの全ての駆動を停止する、
ことを特徴とする印刷方法。
【発明の詳細な説明】
【技術分野】
【０００１】
本発明は、複数の給紙ユニット、複数の印刷ユニット、複数の折ユニットを有する印刷機及び印刷方法に関するものである。
【背景技術】
【０００２】
例えば、一般的な新聞用オフセット輪転印刷機は、複数の給紙ユニットを有する給紙装置と、複数の印刷ユニットを有する印刷装置と、ウェブパス装置と、複数の折ユニットを有する折機とから構成されている。従って、給紙装置から各印刷ユニットにウェブが供給されると、各ウェブに対して各印刷ユニットにより印刷が施され、ウェブパス装置で多数のウェブの走行ルートが変更されてから所定の順番に重ね合わされた後、折機にて、ウェブが縦折りされてから所定の長さで横裁断され、横折されることで折帖が形成され、印刷物としての新聞が排紙される。
【０００３】
このような新聞用オフセット輪転印刷機にて、１台の印刷機により複数種類の印刷物、つまり、複数種類の新聞、広告などを印刷したいという要望がある。従来の新聞用オフセット輪転印刷機では、複数の印刷ユニットに加え、２つの折ユニットを有していることから、複数の印刷ユニットを２つのグループに分け、この２グループの印刷ユニットと、２つの折ユニットを用いて２種類の新聞を同時に印刷することが可能となっている。
【０００４】
なお、このような従来の新聞用オフセット輪転印刷機としては、下記特許文献１に記載されたものがある。
【先行技術文献】
【特許文献】
【０００５】
【特許文献１】特開２００８−２０１０４９号公報
【発明の概要】
【発明が解決しようとする課題】
【０００６】
上述した従来の新聞用オフセット輪転印刷機にて、複数種類の新聞を印刷するとき、異なる種類の新聞は、その印刷部数、印刷時間、印刷速度などが相違する。そのため、ウェブが印刷ユニットから折機で処理されて排紙される搬送過程にて、一方のウェブと他方のウェブが干渉することがある。この場合、印刷作業の安全性や印刷品質に悪影響を与えてしまうおそれがある。
【０００７】
本発明は上述した課題を解決するものであり、異なる種類の印刷物を同時に印刷可能とすることで作業効率の向上を図ると共に、印刷作業の安全性を確保し、且つ、印刷品質の向上を可能とする印刷機及び印刷方法を提供することを目的とする。
【課題を解決するための手段】
【０００８】
上記の目的を達成するための本発明の印刷機は、巻取紙からウェブを供給する複数の給紙ユニットを有する給紙装置と、前記給紙装置から繰り出されたウェブに印刷を行う複数の印刷ユニットを有する印刷装置と、前記印刷装置により印刷が施された複数のウェブを重ねて断裁すると共に折り畳むことで折帖を形成する複数の折ユニットを有する折機と、前記複数の印刷ユニットから前記複数の折ユニットへの搬送経路を変更可能なウェブパス装置と、前記複数の給紙ユニットと前記複数の印刷ユニットと前記複数の折ユニットから複数組の組合せユニットを設定して駆動制御可能な制御装置と、を備える印刷機において、所定の組合せユニットにより搬送されるウェブと他の組合せユニットにより搬送されるウェブとの干渉を防止する仕切部材が設けられる、ことを特徴とするものである。
【０００９】
本発明の印刷機では、前記折機を収容する部屋が設けられ、該部屋内に前記複数の折ユニットを区画するように前記仕切部材が配置されることを特徴としている。
【００１０】
本発明の印刷機では、前記仕切部材により区画された各部屋に開閉自在な安全カバーがそれぞれ設けられることを特徴としている。
【００１１】
本発明の印刷機では、前記複数の安全カバーの開放状態を検出する検出器がそれぞれ設けられ、前記制御装置は、複数組の組合せユニットを設定してそれぞれ駆動制御することで複数種類の印刷物を印刷するとき、前記検出器のいずれかが前記安全カバーの開放状態を検出すると、検出した前記安全カバーが設けられる前記部屋内の前記折ユニットに対応する前記組合せユニットの駆動を停止可能であることを特徴としている。
【００１２】
本発明の印刷機では、前記複数の安全カバーの開放状態を検出する検出器がそれぞれ設けられ、前記制御装置は、１組の組合せユニットを設定して駆動制御することで１種類の印刷物を印刷するとき、前記検出器のいずれかが前記安全カバーの開放状態を検出すると、作動状態にある前記給紙ユニットと前記印刷ユニットと前記折ユニットの全ての駆動を停止可能であることを特徴としている。
【００１３】
本発明の印刷機では、前記部屋に隣接する前記折ユニットの間に前記仕切部材が２つ配置され、該２つの仕切部材に前記安全カバーが設けられることを特徴としている。
【００１４】
本発明の印刷機では、前記安全カバーは、前記折ユニットにおける折畳部に対向する上部着脱カバーと、前記折ユニットにおける排紙部に対向する下部スライドカバーを有することを特徴としている。
【００１５】
本発明の印刷機では、前記２つの仕切部材に区画される空間に出入り可能な開閉扉が設けられることを特徴としている。
【００１６】
本発明の印刷機では、前記複数の印刷ユニットで印刷されたウェブが前記複数の折ユニットまで搬送されるウェブ搬送経路であって、対向して搬送される複数のウェブの間に前記仕切部材が配置されることを特徴としている。
【００１７】
本発明の印刷機では、前記仕切部材は、前記印刷ユニットから前記折ユニットまでウェブを挿通させるとき、ウェブ弛み部に配置されることを特徴としている。
【００１８】
本発明の印刷機では、ガイドローラにウェブが所定角度だけ巻き付けられて搬送されるウェブ搬送経路であって、前記仕切部材は、前記ガイドローラに巻き付けられるウェブの外側に配置されることを特徴としている。
【００１９】
本発明の印刷機では、ウェブの搬送方向の前後に配置される一対のガイドローラの下側にウェブに巻き付けられて搬送されるウェブ搬送経路であって、前記仕切部材は、前記ガイドローラに巻き付けられるウェブの下側に配置されることを特徴としている。
【００２０】
本発明の印刷機では、一対のウェブの距離が２０ｍｍ以内で搬送されるウェブ搬送経路であって、前記仕切部材は、一対のウェブの間に配置されることを特徴としている。
【００２１】
本発明の印刷機では、前記仕切部材は、スリッタまたはコンペンセータに設けられることを特徴としている。
【００２２】
また、本発明の印刷方法は、巻取紙からウェブを供給する複数の給紙ユニットを有する給紙装置と、前記給紙装置から繰り出されたウェブに印刷を行う複数の印刷ユニットを有する印刷装置と、前記印刷装置により印刷が施された複数のウェブを重ねて断裁すると共に折り畳むことで折帖を形成する複数の折ユニットを有する折機と、前記複数の印刷ユニットから前記複数の折ユニットへの搬送経路を変更可能なウェブパス装置と、前記折機を収容する部屋内に前記複数の折ユニットを区画するように配置されてウェブの干渉を防止する仕切部材と、前記仕切部材により区画された各部屋を開閉自在な複数の安全カバーと、を備える印刷機において、前記複数の給紙ユニットと前記複数の印刷ユニットと前記複数の折ユニットから複数組の組合せユニットを設定して複数種類の印刷物を印刷するとき、前記安全カバーのいずれかが開放されると、開放された安全カバーに対応する前記組合せユニットの駆動を停止する一方、前記複数の給紙ユニットと前記複数の印刷ユニットと前記複数の折ユニットから１組の組合せユニットを設定して１種類の印刷物を印刷するとき、前記安全カバーのいずれかが開放されると、作動状態にある前記給紙ユニットと前記印刷ユニットと前記折ユニットの全ての駆動を停止する、ことを特徴とするものである。
【発明の効果】
【００２３】
本発明の印刷機によれば、複数の給紙ユニットを有する給紙装置と、ウェブに印刷を行う複数の印刷ユニットを有する印刷装置と、複数のウェブを重ねて断裁すると共に折り畳むことで折帖を形成する複数の折ユニットを有する折機と、印刷ユニットから折ユニットへの搬送経路を変更可能なウェブパス装置と、複数組の組合せユニットを設定して駆動制御可能な制御装置とにより構成し、所定の組合せユニットにより搬送されるウェブと他の組合せユニットにより搬送されるウェブとの干渉を防止する仕切部材を設けている。従って、仕切部材により異なる複数組の組合せユニット間を搬送されるウェブの干渉が防止され、異なる種類の印刷物を同時に印刷可能とすることで作業効率の向上を図ることができると共に、印刷作業の安全性を確保することができ、また、印刷品質を向上することができる。
【００２４】
本発明の印刷機によれば、折機を収容する部屋を設け、この部屋内に複数の折ユニットを区画するように仕切部材を配置するので、異なる印刷が施された複数のウェブが干渉せずに対応する折ユニットに適正に搬送されることとなり、印刷作業の安全性を確保することができると共に、印刷品質を向上することができる。
【００２５】
本発明の印刷機によれば、仕切部材により区画された各部屋に開閉自在な安全カバーを設けるので、各折ユニットが配置された部屋を区画することができると共に、メンテナンスのためのオペレータの出入りを可能とすることができ、安全性と作業性の両立を可能とすることができる。
【００２６】
本発明の印刷機によれば、複数の安全カバーの開放状態を検出する検出器がそれぞれ設けられ、制御装置は、複数組の組合せユニットを設定してそれぞれ駆動制御することで複数種類の印刷物を印刷するとき、検出器のいずれかが安全カバーの開放状態を検出すると、検出した安全カバーが設けられる部屋内の折ユニットに対応する組合せユニットの駆動を停止するので、各組合せユニットごとに作業の継続と停止を切替えることができ、作業の安全性を確保することができると共に、メンテナンス性を向上することができる。
【００２７】
本発明の印刷機によれば、複数の安全カバーの開放状態を検出する検出器がそれぞれ設けられ、制御装置は、１組の組合せユニットを設定して駆動制御することで１種類の印刷物を印刷するとき、検出器のいずれかが安全カバーの開放状態を検出すると、作動状態にある給紙ユニットと印刷ユニットと折ユニットの全ての駆動を停止するので、組合せユニットが１つのときには、全てのユニットの作業の継続と停止を同期させることができ、通常印刷を行う場合であっても、作業の安全性を確保することができると共に、メンテナンス性を向上することができる。
【００２８】
本発明の印刷機によれば、部屋に隣接する折ユニットの間に仕切部材を２つ配置し、この２つの仕切部材に安全カバーを設けるので、仕切部材を安全カバーとすることで、構造の簡素化を可能とすることができる。
【００２９】
本発明の印刷機によれば、安全カバーを、折ユニットにおける折畳部に対向する上部着脱カバーと、折ユニットにおける排紙部に対向する下部スライドカバーとで構成するので、下部スライドカバーのみを移動可能とすることで、メンテナンス作業の安全性及び作業性を向上することができる。
【００３０】
本発明の印刷機によれば、２つの仕切部材に区画される空間に出入り可能な開閉扉を設けるので、折機に対する安全性を向上することができると共に、遮音性を向上することができる。
【００３１】
本発明の印刷機によれば、複数の印刷ユニットで印刷されたウェブを複数の折ユニットまで搬送するウェブ搬送経路にて、対向して搬送される複数のウェブの間に仕切部材を配置するので、異なる印刷が施された複数のウェブが干渉せずに搬送されることとなり、印刷作業の安全性を確保することができると共に、印刷品質を向上することができる。
【００３２】
本発明の印刷機によれば、仕切部材を、印刷ユニットから折ユニットまでウェブを挿通させるときにそのウェブ弛み部に配置するので、ウェブ挿通時に、ウェブが垂れ下がっても、仕切部材により受け止められることとなり、ウェブ同士の接触を防止することができる。
【００３３】
本発明の印刷機によれば、ガイドローラにウェブが所定角度だけ巻き付けられて搬送されるウェブ搬送経路にて、仕切部材をガイドローラに巻き付けられるウェブの外側に配置するので、弛みやすい箇所でのウェブ同士の接触を適正に防止することができる。
【００３４】
本発明の印刷機によれば、ウェブの搬送方向の前後に配置される一対のガイドローラの下側にウェブに巻き付けられて搬送されるウェブ搬送経路にて、仕切部材をガイドローラに巻き付けられるウェブの下側に配置するので、弛みやすい箇所でのウェブ同士の接触を適正に防止することができる。
【００３５】
本発明の印刷機によれば、一対のウェブの距離が２０ｍｍ以内で搬送されるウェブ搬送経路にて、仕切部材を一対のウェブの間に配置するので、弛みやすい箇所でのウェブ同士の接触を適正に防止することができる。
【００３６】
本発明の印刷機によれば、仕切部材を、スリッタまたはコンペンセータに設けるので、ウェブが縦裁断されるとき、また、ウェブの搬送方向における位置が調整されるとき、ウェブ同士の接触を適正に防止することができる。
【００３７】
また、本発明の印刷方法によれば、折機を収容する部屋内に複数の折ユニットを区画するように配置されてウェブの干渉を防止する仕切部材と、仕切部材により区画された各部屋を開閉自在な複数の安全カバーとを設け、複数の給紙ユニットと複数の印刷ユニットと複数の折ユニットから複数組の組合せユニットを設定して複数種類の印刷物を印刷するとき、安全カバーのいずれかが開放されると、開放された安全カバーに対応する組合せユニットの駆動を停止する一方、複数の給紙ユニットと複数の印刷ユニットと複数の折ユニットから１組の組合せユニットを設定して１種類の印刷物を印刷するとき、安全カバーのいずれかが開放されると、作動状態にある給紙ユニットと印刷ユニットと折ユニットの全ての駆動を停止する。従って、仕切部材により異なる複数組の組合せユニット間を搬送されるウェブの干渉が防止され、異なる種類の印刷物を同時に印刷可能とすることで作業効率の向上を図ることができると共に、印刷作業の安全性を確保することができ、また、印刷品質を向上することができる。
【図面の簡単な説明】
【００３８】
【図１】図１は、本発明の一実施例に係る新聞用オフセット輪転印刷機を表す概略構成図である。
【図２】図２は、本実施例の新聞用オフセット輪転印刷機の概略図である。
【図３】図３は、スリッタに配置された仕切部材を表す概略図である。
【図４】図４は、スリッタに配置された仕切部材を表す概略図である。
【図５】図５は、コンペンセータに配置された仕切部材を表す概略図である。
【図６】図６は、折機の概略正面図である。
【図７】図７は、折機の概略平面図である。
【図８】図８は、安全カバーの正面図である。
【図９】図９は、図８のIX−IX断面図である。
【図１０】図１０は、図８のＸ−Ｘ断面図である。
【図１１】図１１は、本実施例の新聞用オフセット輪転印刷機によるウェブ搬送経路を表す概略図である。
【図１２】図１２は、本実施例の新聞用オフセット輪転印刷機によるウェブ搬送経路を表す概略図である。
【図１３】図１３は、本実施例の折機により２種類の新聞を処理する経路を表す概略図である。
【図１４】図１４は、本実施例の折機により１種類の新聞を処理する経路を表す概略図である。
【図１５】図１５は、本実施例の折機により１種類の新聞を処理する経路を表す概略図である。
【図１６】図１６は、本実施例の折機により１種類の新聞を処理する経路を表す概略図である。
【図１７】図１７は、本実施例の折機により１種類の新聞を処理する経路を表す概略図である。
【発明を実施するための形態】
【００３９】
以下に添付図面を参照して、本発明に係る印刷機及び印刷方法の好適な実施例を詳細に説明する。なお、この実施例により本発明が限定されるものではない。
【実施例】
【００４０】
図１は、本発明の一実施例に係る新聞用オフセット輪転印刷機を表す概略構成図、図２は、本実施例の新聞用オフセット輪転印刷機の概略図、図３及び図４は、スリッタに配置された仕切部材を表す概略図、図５は、コンペンセータに配置された仕切部材を表す概略図、図６は、折機の概略正面図、図７は、折機の概略平面図、図８は、安全カバーの正面図、図９は、図８のIX−IX断面図、図１０は、図８のＸ−Ｘ断面図、図１１及び図１２は、本実施例の新聞用オフセット輪転印刷機によるウェブ搬送経路を表す概略図、図１３は、本実施例の折機により２種類の新聞を処理する経路を表す概略図、図１４乃至図１７は、本実施例の折機により１種類の新聞を処理する経路を表す概略図である。
【００４１】
本実施例の印刷機は、図１に示すように、新聞用オフセット輪転印刷機であって、複数（本実施例では、４台）の給紙ユニットＲ１〜Ｒ４を有する給紙装置Ｒと、複数（本実施例では、３台）の印刷ユニットＵ１〜Ｕ３を有する印刷装置Ｕと、複数（本実施例では、２台）のウェブパスユニットＤ１，Ｄ２を有するウェブパス装置Ｄと、複数（本実施例では、２台）の折ユニットＦ１，Ｆ２を有する折機Ｆとから構成されている。
【００４２】
この場合、印刷ユニットＵ１〜Ｕ３を３台として説明したが、各印刷ユニットＵ１〜Ｕ３は、４色刷りが可能であると共に、上下に分割することで６台の印刷ユニットＵ１１，Ｕ１２，Ｕ２１，Ｕ２２，Ｕ３１，Ｕ３２として用いることができる。
【００４３】
また、図１にて、２つの折ユニットＦ１，Ｆ２を左右に並べて記載したが、実際には、紙面に直行する方向に並んで配置される操作側折ユニットＦ１と駆動側折ユニットＦ２となっている。更に、印刷装置Ｕを上下に２つの部分から記載したが、機能上２つに分けて記載しただけであり、実際には、１つの装置となっている。
【００４４】
そして、本実施例の新聞用オフセット輪転印刷機では、図示しない建屋の１階に給紙装置Ｒが設置され、２階及び３階に印刷装置Ｕが設置され、３階から５階にウェブパス装置Ｄが設置され、また、２階、３階に折機Ｆが設置されている。
【００４５】
ここで、上述した給紙装置Ｒ、印刷装置Ｕ、ウェブパス装置Ｄ、折機Ｆについて詳細に説明する。
【００４６】
給紙装置Ｒにおいて、給紙ユニットＲ１〜Ｒ４は、ほぼ同様の構成をなし、ウェブＷがロール状に巻かれた３つの巻取紙を保持する保持アーム１１が設けられ、この保持アーム１１を回動することで、巻取紙を給紙位置に回動することができる。また、この各給紙ユニットＲ１〜Ｒ４には、図示しない紙継装置が設けられており、給紙位置で繰り出されている巻取紙が残り少なくなると、この紙継装置により給紙位置にある巻取紙に対して、待機位置にある巻取紙を紙継することができる。
【００４７】
印刷装置Ｕにおいて、図１及び図２に示すように、印刷ユニットＵ１〜Ｕ３は、両面４色印刷を行うことができる多色刷印刷ユニットである。但し、各印刷ユニットＵ１〜Ｕ３は、上下に分割することで、両面２色印刷を行うことができる印刷ユニットＵ１１〜Ｕ３２とすることができる。また、各印刷ユニットＵ１〜Ｕ３は、版胴１２の周長（直径）に対して、ブランケット胴１３の周長（直径）が２倍に設定されている。即ち、版胴１２の周面には、周方向（ウェブＷの天地長さ方向）に沿って１つ、軸方向（ウェブＷの幅方向）に沿って４つの刷版（図示略）が着脱自在となっている。
【００４８】
なお、本実施例では、印刷ユニットＵ１〜Ｕ３を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００４９】
ウェブパス装置Ｄにおいて、ウェブパスユニットＤ１は、印刷ユニットＵ１，Ｕ２に対して設けられ、ウェブパスユニットＤ２は、印刷ユニットＵ３に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタＳ１，Ｓ２、縦裁断したウェブＷの搬送経路を設定するターンバーＴ１，Ｔ２、ウェブＷにおける天地長手方向における搬送位置を調整するコンペンセータＣ１，Ｃ２などを有している。
【００５０】
従って、各印刷ユニットＵ１，Ｕ２で印刷が施された各ウェブＷは、ウェブパスユニットＤ１にて、スリッタＳ１により縦裁断され、ターンバーＴ１により搬送経路が変更され、コンペンセータＣ１により搬送位置が調整されてから所定の順番に重ね合わされる。また、印刷ユニットＵ３で印刷が施された各ウェブＷは、ウェブパスユニットＤ２にて、スリッタＳ２により縦裁断され、ターンバーＴ２により搬送経路が変更され、コンペンセータＣ２により搬送位置が調整されてから所定の順番に重ね合わされる。
【００５１】
折機Ｆにて、２つの折ユニットＦ１，Ｆ２は、操作側と駆動側に配設されている。従って、各ウェブパスユニットＤ１，Ｄ２から導入される複数のウェブＷを重ねたままで縦折りし、所定の長さで横裁断し、横折りして折帖を形成し、新聞として排紙することができる。
【００５２】
折ユニットＦ１，Ｆ２を具体的に説明すると、図２及び図６に示すように、最上部には、上述したウェブパス装置Ｄで所定の順番に重ねられたウェブＷを、縦折りする左右一対の三角板（フォーマ）１０１ａ，１０１ｂが設けられ、この三角板１０１ａ，１０１ｂの下方には、ウェブＷを縦折りする左右一対の三角板（フォーマ）２０１ａ，２０１ｂが設けられている。そして、三角板１０１ｂの下方には、リードインローラ１０２ａ，１０２ｂが設けられると共に、ガイドローラ１０３，１０４が設けられている。
【００５３】
三角板２０１ａの下方には、リードインローラ１０５ａ，１０５ｂ、ニッピングローラ１０６ａ，１０６ｂが設けられている。そして、ニッピングローラ１０６ａ，１０６ｂの下方には、第１折畳機構１０７が配置され、この第１折畳機構１０７の下方には、第１羽根車１０８及び第１排紙コンベア１０９が配置されている。
【００５４】
また、三角板２０１ｂの下方には、リードインローラ２０２ａ，２０２ｂ、ニッピングローラ２０３ａ，２０３ｂが設けられている。そして、ニッピングローラ２０３ａ，２０３ｂの下方には、第２折畳機構２０４が配置され、この第２折畳機構２０４の下方には、第２羽根車２０５及び第２排紙コンベア２０６が配置されている。
【００５５】
更に、三角板２０１ａ，２０１ｂの下方であって、リードインローラ１０５ａ，１０５ｂとリードインローラ２０２ａ，２０２ｂとの間には、リードインローラ３０１ａ，３０１ｂと、ウェブＷの搬送先を変更するガイドローラ３０２が配置されている。
【００５６】
各折ユニットＦ１，Ｆ２における各折畳機構１０７，２０４は、ロータリフォルダタイプとなっている。即ち、折畳機構１０７にて、折胴１１１と鋸胴１１２とは、外周面が対向した状態で、左右に並んで回転自在に配置されている。折胴１１１は、外周部に１８０度対向して針装置が設けられている。また、鋸胴１１２は、外周部に１８０度対向して鋸刃が設けられる一方、折胴１１１は、外周部に１８０度対向して鋸刃受が設けられている。更に、折胴１１１は、その周面に１８０度対向して折ブレードが設けられており、各折ブレードは、針装置及び鋸刃受とほぼ９０度位相がずれた位置に設けられている。
【００５７】
折胴１１１の下方には、一対の折込ローラ１１３ａ，１１３ｂが折胴１１１と同期回転可能に設けられている。この一対の折込ローラ１１３ａ，１１３ｂは、折ブレードにより折胴１１１の周面から突出したシートの中間部を挟持することで、折帖を形成することができる。
【００５８】
また、折畳機構２０４にて、折胴２１１と鋸胴２１２とは、外周面が対向した状態で、左右に並んで回転自在に配置されている。折胴２１１は、外周部に１８０度対向して針装置が設けられている。また、鋸胴２１２は、外周部に１８０度対向して鋸刃が設けられる一方、折胴２１１は、外周部に１８０度対向して鋸刃受が設けられている。更に、折胴２１１は、その周面に１８０度対向して折ブレードが設けられており、各折ブレードは、針装置及び鋸刃受とほぼ９０度位相がずれた位置に設けられている。
【００５９】
折胴２１１の下方には、一対の折込ローラ２１３ａ，２１３ｂが折胴２１１と同期回転可能に設けられている。この一対の折込ローラ２１３ａ，２１３ｂは、折ブレードにより折胴２１１の周面から突出したシートの中間部を挟持することで、折帖を形成することができる。
【００６０】
このように構成された本実施例の新聞用オフセット輪転印刷機では、図１に示すように、給紙ユニットＲ１〜Ｒ４、印刷ユニットＵ１〜Ｕ３、ウェブパスユニットＤ１，Ｄ２、折ユニットＦ１，Ｆ２をそれぞれ独立して駆動制御可能となっている。
【００６１】
そして、給紙ユニットＲ１〜Ｒ４は、給紙コントローラ２１〜２４により駆動制御可能であり、印刷ユニットＵ１〜Ｕ３は、印刷コントローラ２５〜３０により駆動制御可能であり、ウェブパスユニットＤ１，Ｄ２は、ウェブパスコントローラ３１，３２により駆動制御可能であり、折ユニットＦ１，Ｆ２は折コントローラ３３，３４により駆動制御可能である。そして、全てのコントローラ２１〜３４は、運転管理制御装置（制御装置）３５により制御可能であり、オペレータは、運転管理システム用操作パネル（操作装置）３６を用いて運転管理制御装置３５に対して操作指令を入力することで、新聞用オフセット輪転印刷機による印刷作業を制御可能となっている。
【００６２】
即ち、オペレータは、運転管理システム用操作パネル３６を用いて、給紙ユニットＲ１〜Ｒ４、印刷ユニットＵ１〜Ｕ３、ウェブパスユニットＤ１，Ｄ２、折ユニットＦ１，Ｆ２における組合せや印刷速度（駆動速度）を操作指令として運転管理制御装置３５に対して入力可能である。運転管理制御装置３５は、この操作指令に基づいて、給紙ユニットＲ１〜Ｒ４、印刷ユニットＵ１〜Ｕ３、ウェブパスユニットＤ１，Ｄ２、折ユニットＦ１，Ｆ２の組合せ、つまり、ウェブパスユニットＤ１，Ｄ２による各印刷ユニットＵ１〜Ｕ３から各折ユニットＦ１，Ｆ２への搬送経路を設定すると共に、給紙ユニットＲ１〜Ｒ４、印刷ユニットＵ１〜Ｕ３、ウェブパスユニットＤ１，Ｄ２、折ユニットＦ１，Ｆ２の駆動速度を設定する。
【００６３】
この場合、運転管理制御装置３５は、給紙ユニットＲ１〜Ｒ４、印刷ユニットＵ１〜Ｕ３、ウェブパスユニットＤ１，Ｄ２、折ユニットＦ１，Ｆ２における組合せ、その組合せに対する駆動速度Ｖ１，Ｖ２を複数の印刷パターンＩＤとして記憶しており、オペレータは、運転管理システム用操作パネル３６を用いて所定の印刷パターンＩＤを選択することで、その印刷パターンＩＤに基づいて給紙ユニットＲ１〜Ｒ４、印刷ユニットＵ１〜Ｕ３、ウェブパスユニットＤ１，Ｄ２、折ユニットＦ１，Ｆ２を自動的に制御することができる。
【００６４】
例えば、印刷パターンＩＤ１０１として（Ｒ１＋Ｒ４＋Ｕ１１＋Ｕ１２＋Ｕ３１＋Ｕ３２＋Ｄ１＋Ｄ２＋Ｆ１：Ｖ１）を記憶することで、この印刷パターンＩＤ１０１を新聞Ａ印刷用パターンＩＤとして使用することができる。また、印刷パターンＩＤ１０２として（Ｒ２＋Ｒ３＋Ｕ２１＋Ｕ２２＋Ｄ１＋Ｆ２：Ｖ２）を記憶することで、この印刷パターンＩＤ１０２を新聞Ｂ印刷用パターンＩＤとして使用することができる。なお、Ｖ１，Ｖ２は、印刷速度（ウェブの搬送速度）である。
【００６５】
ここで、本実施例の新聞用オフセット輪転印刷機における印刷制御について具体的に説明する。
【００６６】
本実施例の新聞用オフセット輪転印刷機において、オペレータは、運転管理システム用操作パネル３６を用いて、印刷パターンＩＤ１０１（Ｒ１＋Ｒ４＋Ｕ１１＋Ｕ１２＋Ｕ３１＋Ｕ３２＋Ｄ１＋Ｄ２＋Ｆ１：Ｖ１）を選択して入力する。この印刷パターンＩＤ１０１とは、給紙ユニットＲ１，Ｒ４と印刷ユニットＵ１１，Ｕ１２，Ｕ３１，Ｕ３２とウェブパスユニットＤ１，Ｄ２と折ユニットＦ１を組合せた組合せユニットを設定し、印刷速度Ｖ１で印刷を行う指令を出力するものである。すると、運転管理制御装置３５は、この印刷パターンＩＤ１０１を制御リンクに出力すると、該当する給紙コントローラ２１，２４と印刷コントローラ２５，２６，２９，３０とウェブパスコントローラ３１，３２と折コントローラ３３がこの印刷パターンＩＤ１０１を取り込む。そして、各コントローラ２１，２４，２５，２６，２９，３０，３１，３２，３３は、給紙ユニットＲ１，Ｒ４と印刷ユニットＵ１１，Ｕ１２，Ｕ３１，Ｕ３２とウェブパスユニットＤ１，Ｄ２と折ユニットＦ１の駆動速度をＶ１に制御し、ウェブＷの搬送経路を折ユニットＦ１に変更する。
【００６７】
従って、図１１に示すように、各給紙装置Ｒ１，Ｒ４から各印刷ユニットＵ１，Ｕ３（Ｕ１１，Ｕ１２，Ｕ３１，Ｕ３２）にウェブＷが供給されると、各印刷ユニットＵ１１，Ｕ１２，Ｕ３１，Ｕ３２では、各ウェブＷに対して４色刷が行われる。各印刷ユニットＵ１１，Ｕ１２，Ｕ３１，Ｕ３２で印刷が施された２枚のウェブＷは、ウェブパスユニットＤ１，Ｄ２にて、縦裁断が行われた後に、搬送経路が変更されると共に所定の順番に重ね合わせることで、４枚のウェブＷとなる。そして、折ユニットＦ１では、図６に示すように、ウェブＷは、三角板１０１ｂにより縦折りが施された後、リードインローラ１０２ａ，１０２ｂ、ガイドローラ１０３，１０４、リードインローラ３０１ａ，３０１ｂ、ガイドローラ３０２により第１折畳機構１０７に送られる。
【００６８】
第１折畳機構１０７では、縦折りされたウェブＷが折胴１１１に至ると、所定の位置で、鋸胴１１２により横裁断され、折胴１１１の周面から折ブレードが突出することで、ウェブＷを折胴１１１から一対の折込ローラ１１３ａ，１１３ｂに引き渡し、この折込ローラ１１３ａ，１１３ｂに挟持されることで折帖が形成される。そして、この折込ローラ１１３ａ，１１３ｂにより形成された折帖は、第１羽根車１０８の各羽根により順次受取られ、排紙コンベア１０９上に受け渡す。このようにして４枚１６頁の新聞Ａを印刷することができる。
【００６９】
一方、オペレータは、運転管理システム用操作パネル３６を用いて、前述した印刷パターンＩＤ１０１を入力すると共に、印刷パターンＩＤ１０２（Ｒ２＋Ｒ３＋Ｕ２１＋Ｕ２２＋Ｄ１＋Ｆ２：Ｖ２）を選択して入力する。この印刷パターンＩＤ１０２とは、給紙ユニットＲ２，Ｒ３と印刷ユニットＵ２１，Ｕ２２とウェブパスユニットＤ１と折ユニットＦ２を組合せた組合せユニットを設定し、印刷速度Ｖ２で印刷を行う指令を出力するものである。すると、運転管理制御装置３５は、この印刷パターンＩＤ１０２を制御リンクに出力すると、該当する給紙コントローラ２２，２３と印刷コントローラ２７，２８とウェブパスコントローラ３１と折コントローラ３４がこの印刷パターンＩＤ１０２を取り込む。そして、各コントローラ２２，２３，２７，２８，３１，３４は、給紙ユニットＲ２，Ｒ３と印刷ユニットＵ２１，Ｕ２２とウェブパスユニットＤ１と折ユニットＦ２の駆動速度をＶ２に制御し、ウェブＷの搬送経路を折ユニットＦ２に変更する。
【００７０】
従って、図１１に示すように、各給紙装置Ｒ２，Ｒ３から各印刷ユニットＵ２（Ｕ２１，Ｕ２２）にウェブＷが供給されると、各印刷ユニットＵ２１，Ｕ２２では、各ウェブＷに対して２色刷が行われる。各印刷ユニットＵ２１，Ｕ２２で印刷が施された２枚のウェブＷは、ウェブパスユニットＤ１にて、縦裁断が行われた後に、搬送経路が変更されると共に所定の順番に重ね合わせることで、４枚のウェブＷとなる。そして、折ユニットＦ２では、図６に示すように、ウェブＷは、三角板２０１ｂにより縦折りが施された後、リードインローラ２０２ａ，２０２ｂ、ニッピングローラ２０３ａ，２０３ｂにより第２折畳機構２０４に送られる。
【００７１】
第２折畳機構２０４では、縦折りされたウェブＷが折胴２１１に至ると、所定の位置で、鋸胴２１２により横裁断され、折胴２１１の周面から折ブレードが突出することで、ウェブＷを折胴２１１から一対の折込ローラ２１３ａ，２１３ｂに引き渡し、この折込ローラ２１３ａ，２１３ｂに挟持されることで折帖が形成される。そして、この折込ローラ２１３ａ，２１３ｂにより形成された折帖は、第２羽根車２０５の各羽根により順次受取られ、排紙コンベア２０６上に受け渡す。このようにして４枚１６頁の新聞Ｂを印刷することができる。
【００７２】
この場合、オペレータは、運転管理システム用操作パネル３６を用いて、印刷する新聞のページ数などによりユニットの組合せは多数考えられるものであり、実施例に記載したものに限定されない。例えば、図１２に示すように、オペレータは、この運転管理システム用操作パネル３６を用いて、印刷パターンＩＤ２０１（Ｒ１＋Ｒ３＋Ｕ１１＋Ｕ１２＋Ｕ２１＋Ｄ１＋Ｆ２：Ｖ１）を選択して入力する。この印刷パターンＩＤ２０１とは、給紙ユニットＲ１，Ｒ３と印刷ユニットＵ１１，Ｕ１２，Ｕ２１とウェブパスユニットＤ１と折ユニットＦ２を組合せた組合せユニットを設定し、印刷速度Ｖ１で印刷を行う指令を出力するものである。オペレータは、この運転管理システム用操作パネル３６を用いて、印刷パターンＩＤ２０２（Ｒ２＋Ｒ４＋Ｕ２２＋Ｕ３１＋Ｕ３２＋Ｄ１＋Ｄ２＋Ｆ１：Ｖ２）を選択して入力する。この印刷パターンＩＤ２０２とは、給紙ユニットＲ２，Ｒ４と印刷ユニットＵ２２，Ｕ３１，Ｕ３２とウェブパスユニットＤ１，Ｄ２と折ユニットＦ１を組合せた組合せユニットを設定し、印刷速度Ｖ２で印刷を行う指令を出力するものである。
【００７３】
なお、上述の説明では、本実施例の新聞用オフセット輪転印刷機により、同時に２種類の新聞Ａ，Ｂを印刷する形態について説明したが、従来と同様に、多ページを有する１種類の新聞だけを印刷することもできる。
【００７４】
即ち、オペレータは、運転管理システム用操作パネル３６を用いて、例えば、印刷パターンＩＤ１００を入力する。この印刷パターンＩＤ１００は、（Ｒ１＋Ｒ２＋Ｒ３＋Ｒ４＋Ｕ１１＋Ｕ１２＋Ｕ２１，Ｕ２２＋Ｕ３１＋Ｕ３２＋Ｄ１＋Ｄ２＋Ｆ１＋Ｆ２：Ｖ１）であり、新聞Ｃ印刷用パターンＩＤである。この印刷パターンＩＤ１００とは、給紙ユニットＲ１〜Ｒ４と印刷ユニットＵ１１〜Ｕ３２とウェブパスユニットＤ１，Ｄ２と折ユニットＦ１，Ｆ２を組合せた組合せユニットを設定し、印刷速度Ｖ１で印刷を行う指令を出力するものである。すると、運転管理制御装置３５は、この印刷パターンＩＤ１００を制御リンクに出力すると、該当する給紙コントローラ２１〜２４と印刷コントローラ２５〜３０とウェブパスコントローラ３１，３２と折コントローラ３３，３４がこの印刷パターンＩＤ１００を取り込む。そして、各コントローラ２１〜３４は、給紙ユニットＲ１〜Ｒ４と印刷ユニットＵ１１〜Ｕ３２とウェブパスユニットＤ１，Ｄ２と折ユニットＦ１，Ｆ２の駆動速度をＶ１に制御し、ウェブＷの搬送経路を折ユニットＦ１，Ｆ２の両方に変更する。
【００７５】
従って、図１１に示すように、各給紙装置Ｒ１〜Ｒ４から各印刷ユニットＵ１１〜Ｕ３２にウェブＷが供給されると、各印刷ユニットＵ１１〜Ｕ３２では、各ウェブＷに対して２色刷及び４色刷が行われる。各印刷ユニットＵ１１〜Ｕ３２で印刷が施された４枚のウェブＷは、ウェブパスユニットＤ１，Ｄ２にて、縦裁断が行われた後に、搬送経路が変更されると共に所定の順番に重ね合わせることで、８枚のウェブＷとなる。そして、折ユニットＦ１，Ｆ２にて、縦折りが施された後、横裁断され、横折されて折帖が形成されてから排出される。このようにして８枚３２頁の新聞Ｃを印刷することができる。
【００７６】
この場合、新聞の枚数により折ユニットＦ１，Ｆ２の使い方を選択することができる。例えば、三角板２０１ａ，２０１ｂ及び第１、第２折畳機構１０７，２０４を用いた両出し処理、三角板２０１ａ（または、三角板２０１ｂ）及び第１折畳機構１０７（または、第２折畳機構２０４）を用いた片出し処理、三角板２０１ａ（または、三角板２０１ｂ）及び第１、第２折畳機構１０７，２０４を用いた転送処理、三角板２０１ａ，２０１ｂ及び第１折畳機構１０７（または、第２折畳機構２０４）を用いたセクション出し処理がある。いずれの処理も、新聞Ｃのページ数や形態、印刷速度に応じて選択することができる。
【００７７】
また、各印刷ユニットＵ１〜Ｕ３の使い方、つまり、一体と使用して４色刷を行うか、分割して使用して２色刷を行うかにより、新聞Ａ，Ｂの枚数、２色刷（単色刷）または４色刷を設定することができる。なお、本実施例では、４色刷が可能な３つの印刷ユニットを配置したが、この構成に限定されるものではなく、４色刷が可能な印刷ユニットを４つ以上配置したり、２色刷の印刷ユニットと４色刷の印刷ユニットを組み合わせて配置してもよい。
【００７８】
そして、本実施例の新聞用オフセット輪転印刷機にて、印刷ユニットＵ１〜Ｕ３では、各版胴１２及び各ブランケット胴１３がそれぞれ独立して駆動可能な駆動モータを有している。また、ウェブパスユニットＤ１，Ｄ２では、搬送される各ウェブＷに対応したスリッタＳ１とターンバーＴ１とコンペンセータＣ１は、それぞれ個別に駆動可能な駆動モータを有している。そのため、印刷ユニットＵ１〜Ｕ３は、上部の印刷ユニットＵ１１，Ｕ２１，Ｕ３１と下部の印刷ユニットＵ１２，Ｕ２２，Ｕ３２をそれぞれ独立して駆動可能であり、各印刷ユニットＵ１１〜Ｕ３２における上下の版胴１２及びブランケット胴１３をそれぞれ独立して駆動可能である。また、ウェブパスユニットＤ１，Ｄ２のスリッタＳ１とターンバーＴ１とコンペンセータＣ１は、上下に積層された各機構をそれぞれ独立して駆動可能である。
【００７９】
ところで、本実施例の新聞用オフセット輪転印刷機は、上述したように、１種類の新聞を印刷することができると共に、同時に２種類の新聞を印刷することができるが、同時に２種類の新聞を印刷する場合に、下記の課題がある。即ち、同時に２種類の新聞を印刷するとき、各新聞は、その印刷部数、印刷時間、印刷速度などが相違することが多い。そのため、ウェブが印刷ユニットから折機で処理されて排紙される搬送過程にて、一方のウェブと他方のウェブが干渉することがあり、印刷作業の安全性や印刷品質に悪影響を与えてしまうおそれがある。
【００８０】
例えば、一方の新聞の印刷作業中に、他方の新聞の印刷準備、つまり、ウェブを搬送経路に通す紙通し作業を行う必要があり、このとき、紙通したウェブが印刷中であって高速で搬送されるウェブに接触する可能性がある。また、２種類の新聞を同時に印刷するとき、各新聞の搬送速度が異なるため、両者の間に不測な空気の流れが発生し、ウェブの搬送に悪影響を与えるおそれがある。更に、新聞用オフセット輪転印刷機には、安全装置が設けられており、印刷作業中におけるオペレータの安全区域への侵入などにより印刷機が停止するようになっている。この場合、一方の新聞を印刷するユニット側のメンテナンスを行うとき、全てのユニットが停止してしまい、また、安全装置を無効とする場合にはオペレータの安全性を確保できない。
【００８１】
そこで、本実施例の新聞用オフセット輪転印刷機では、この課題を解決するため、同時に２種類の新聞を印刷するとき、給紙ユニットＲ１〜Ｒ４、印刷ユニットＵ１〜Ｕ３、ウェブパスユニットＤ１，Ｄ２、折ユニットＦ１，Ｆ２から所定の２つの組合せユニットを設定したとき、一方の組合せユニットにより搬送されるウェブと他方の組合せユニットにより搬送されるウェブとの干渉を防止する仕切部材を設けている。
【００８２】
具体的には、複数の印刷ユニットＵ１〜Ｕ３で印刷されたウェブが複数の折ユニットＦ１，Ｆ２まで搬送されるウェブ搬送経路にて、対向して搬送される複数のウェブの間に仕切部材を配置している。この仕切部材は、印刷ユニットＵ１〜Ｕ３から折ユニットＦ１，Ｆ２までウェブを挿通させる紙通し作業時に、ウェブ弛み部に配置されている。特に、この仕切部材は、スリッタＳ１とコンペンセータＣ１に設けられている。
【００８３】
即ち、図２に示すように、スリッタＳ１にて、ガイドローラにウェブＷが所定角度だけ巻き付けられて搬送されるウェブ搬送経路にて、ガイドローラに巻き付けられるウェブＷの外側に仕切部材４１を配置している。ガイドローラにウェブＷが所定角度だけ巻き付けられて搬送されるウェブ搬送経路にて、ガイドローラに巻き付けられるウェブＷの外側に仕切部材４２を配置している。
【００８４】
また、スリッタＳ１にて、ウェブＷの搬送方向の前後に配置される一対のガイドローラの下側にウェブＷに巻き付けられて搬送されるウェブ搬送経路にて、ガイドローラに巻き付けられるウェブＷの下側に仕切部材４３を配置している。コンペンセータＣ１にて、一対のウェブＷの距離が２０ｍｍ以内で搬送されるウェブ搬送経路にて、一対のウェブＷの間に仕切部材４４を配置している。
【００８５】
具体的に説明すると、図３に示すように、スリッタＳ１にて、ウェブＷ１がガイドローラ５１ａ，５１ｂ，５１ｃ，５１ｄ，５１ｅにガイドされるウェブ搬送経路が設定されると共に、ウェブＷ２がガイドローラ５２ａ，５２ｂにガイドされるウェブ搬送経路が設定されている。また、ガイドローラ５１ｂに対して、カッタを有するスリッタドラグローラ（駆動ローラ）５１ｆが対接する一方、ガイドローラ５２ａに対して、カッタを有するスリッタドラグローラ（駆動ローラ）５２ｃが対接している。
【００８６】
このとき、ガイドローラ５１ａに所定角度だけ巻き付けられて搬送されるウェブＷ１の外側、つまり、ガイドローラ５１ａによりガイドされるウェブＷ１と、ガイドローラ５２ａ，５２ｂにガイドされるウェブＷ２との間に、仕切部材４１が配置されている。この仕切部材４１は、ガイドローラ５１ａにガイドされるウェブＷ１に沿った湾曲形状をなし、多数の貫通孔が形成されたパンチングメタルにより形成され、ウェブＷ１の搬送方向における前後の端部がブラケット５３ａ，５３ｂにより印刷機フレーム（図示略）に設けられた支持軸５４ａ，５４ｂに固定されている。
【００８７】
また、ウェブＷ１の搬送方向の前後に配置される一対のガイドローラ５１ｄ，５１ｅの下側、つまり、ガイドローラ５１ｄ，５１ｅによりガイドされるウェブＷ１と、ガイドローラ５２ｂにガイドされるウェブＷ２との間に、仕切部材４２が配置されている。この仕切部材４２は、ガイドローラ５１ｄ，５１ｅにガイドされるウェブＷ１に沿った水平（直線）形状をなし、多数の貫通孔が形成されたパンチングメタルにより形成され、ウェブＷ１の搬送方向における前後の端部がブラケット５５ａ，５５ｂにより印刷機フレーム（図示略）に設けられた支持軸５６ａ，５６ｂに固定されている。
【００８８】
また、図４に示すように、スリッタＳ１にて、ウェブＷ１がガイドローラ５７ａ，５７ｂにガイドされるウェブ搬送経路が設定されると共に、ウェブＷ２がガイドローラ５８ａ，５８ｂにガイドされるウェブ搬送経路が設定されている。また、ガイドローラ５７ａに対して、カッタを有するスリッタドラグローラ（駆動ローラ）５７ｃが対接している。このとき、ガイドローラ５７ｂに所定角度だけ巻き付けられて搬送されるウェブＷ１の外側、つまり、ガイドローラ５７ｂによりガイドされるウェブＷ１と、ガイドローラ５８ｂにガイドされるウェブＷ２との間に、仕切部材４３が配置されている。この仕切部材４３は、ガイドローラ５７ｂにガイドされるウェブＷ１に沿った屈曲（または、湾曲）形状をなし、多数の貫通孔が形成されたパンチングメタルにより形成され、ウェブＷ１の搬送方向における前後の端部がブラケット５９ａ，５９ｂにより印刷機フレーム（図示略）に設けられた支持軸６０ａ，６０ｂに固定されている。
【００８９】
更に、図５に示すように、コンペンセータＣ１にて、ウェブＷ１がガイドローラ６１ａ，６１ｂ，６１ｃにガイドされるウェブ搬送経路が設定されると共に、ウェブＷ２がガイドローラ６２ａ，６２ｂ，６２ｃにガイドされるウェブ搬送経路が設定されている。また、各ガイドローラ６１ｃ，６２ｃがウェブＷ１，Ｗ２の搬送方向に沿って位置調整可能な調整ローラとして機能する。このとき、ガイドローラ６１ｃによりガイドされるウェブＷ１と、ガイドローラ６２ａ，６２ｂにガイドされるウェブＷ２との間に、仕切部材４４が配置されている。この場合、搬送される上下一対のウェブＷ１，Ｗ２の離間する距離は、２０ｍｍ以内である。この仕切部材４４は、搬送される各ウェブＷ１，Ｗ２に沿った水平（直線）形状をなし、多数の貫通孔が形成されたパンチングメタルにより形成され、ウェブＷ１の搬送方向における前後の端部がブラケット６３ａ，６３ｂにより印刷機フレーム（図示略）に設けられた支持軸６４ａ，６４ｂに固定されている。
【００９０】
従って、図３に示すように、ウェブＷ２がガイドローラ５２ａ，５２ｂにガイドされながら所定の速度で搬送されているとき、ウェブＷ１をガイドローラ５１ａ，５１ｂ，５１ｃ，５１ｄ，５１ｅに挿通させる場合、ウェブＷ１は、張力が十分に作用していないことから、ガイドローラ５１ａでの巻き付け部やガイドローラ５１ｄ，５１ｅによる支持部で弛みやすい。しかし、本実施例では、その弛み部に仕切部材４１，４２が配置されていることから、ウェブＷ１がその弛み部で下方に垂れ下がっても、仕切部材４１，４２により保持されることとなり、下方を搬送されるウェブＷ２に接触することはなく、ウェブＷ２の印刷部が擦れることはない。
【００９１】
また、図４に示すように、ウェブＷ２がガイドローラ５８ａ，５８ｂにガイドされながら所定の速度で搬送されているとき、ウェブＷ１をガイドローラ５７ａ，５７ｂに挿通させる場合、ウェブＷ１は、張力が十分に作用していないことから、ガイドローラ５７ｂでの巻き付け部で弛みやすい。しかし、本実施例では、その弛み部に仕切部材４３が配置されていることから、ウェブＷ１がその弛み部で下方に垂れ下がっても、仕切部材４３により保持されることとなり、下方を搬送されるウェブＷ２に接触することはなく、ウェブＷ２の印刷部が擦れることはない。
【００９２】
更に、図５に示すように、ウェブＷ２がガイドローラ６２ａ，６２ｂにガイドされながら所定の速度で搬送されているとき、ウェブＷ１をガイドローラ６１ａ，６１ｂ，６１ｃに挿通させる場合、ウェブＷ１は、張力が十分に作用していないことから、ガイドローラ６１ｃによる支持部で弛みやすい。しかし、本実施例では、その弛み部に仕切部材４４が配置されていることから、ウェブＷ１がその弛み部で下方に垂れ下がっても、仕切部材４４により保持されることとなり、下方を搬送されるウェブＷ２に接触することはなく、ウェブＷ２の印刷部が擦れることはない。
【００９３】
なお、本実施例では、各印刷ユニットＵ１〜Ｕ３で印刷されたウェブＷが各折ユニットＦ１，Ｆ２まで搬送されるウェブ搬送経路にて、そのウェブパスユニットＤ１における所定の位置にウェブＷ１，Ｗ２の間に位置して仕切部材４１，４２，４３，４４を設けている。但し、印刷する新聞の形態等により、ウェブＷの搬送経路が異なることから、全ての仕切部材４１，４２，４３，４４を使用しない場合もあり、適正なものだけを使用することとなる。
【００９４】
また、本実施例の新聞用オフセット輪転印刷機では、上述した課題を解決するため、同時に２種類の新聞を印刷するとき、給紙ユニットＲ１〜Ｒ４、印刷ユニットＵ１〜Ｕ３、ウェブパスユニットＤ１，Ｄ２、折ユニットＦ１，Ｆ２から所定の２つの組合せユニットを設定したとき、折機Ｆにて、この折機Ｆを収容する部屋を設け、この部屋内に２つの折ユニットＦ１，Ｆ２を区画するように仕切部材を配置している。そして、仕切部材により区画された複数の部屋に対して、開閉自在な安全カバーがそれぞれ設けられている。この場合、部屋に隣接する折ユニットＦ１，Ｆ２の間に２つの仕切部材を配置し、この２つの仕切部材に安全カバーを設けている。
【００９５】
そして、各安全カバーの開放状態を検出する検出器をそれぞれが設け、運転管理制御装置３５は、複数組の組合せユニットを設定してそれぞれ駆動制御するとき、検出器のいずれかが安全カバーの開放状態を検出すると、検出した安全カバーが設けられる部屋内の折ユニットに対応する組合せユニットの駆動を停止可能としている。また、運転管理制御装置３５は、１組の組合せユニットを設定して駆動制御するとき、検出器のいずれかが安全カバーの開放状態を検出すると、少なくとも作動状態にある給紙ユニットと印刷ユニットと折ユニットの全ての駆動を停止可能としている。
【００９６】
即ち、図６及び図７に示すように、折機Ｆにて、印刷ユニットＵ２側に仕切壁７１が立設されると共に、操作側及び駆動側に仕切壁７２ａ，７２ｂが立設されている。また、印刷ユニットＵ２側に折ユニットＦ１，Ｆ２に対応して仕切壁７３ａ，７３ｂが立設されている。この各仕切壁７１，７２ａ，７２ｂ，７３ａ，７３ｂにより折機Ｆ（折ユニットＦ１，Ｆ２）を収容する部屋が設けられる。
【００９７】
折ユニットＦ１，Ｆ２との間には、仕切壁７１と仕切壁７３ａ，７３ｂとを連結する仕切部材としての安全カバー７４，７５が設けられており、この安全カバー７４，７５の間にオペレータの作業空間が確保されている。また、仕切壁７２ａ，７２ｂを連結すると共に、この作業空間に対してオペレータの出入りを可能とする開閉扉７６が設けられている。そして、この安全カバー７４，７５は、折ユニットＦ１，Ｆ２における各折畳機構（折畳部）１０７，２０４に対向する上部着脱カバー７７，７８と、折ユニットＦ１，Ｆ２における排紙コンベア（排紙部）１０９，２０６に対向する下部スライドカバー７９，８０とを有している。
【００９８】
以下、この安全カバー７４，７５について説明するが、両者はほぼ同様の構成であることから、一方の安全カバー７４についてのみ説明する。
【００９９】
安全カバー７４において、図８に示すように、両側部（仕切壁７１，７３ａ）には、取付ブラケット８１ａ，８１ｂが固定され、この取付ブラケット８１ａ，８１ｂにおける上部には、上部着脱カバー７７が配置され、図示しない複数の固定ボルトにより固定されている。また、取付ブラケット８１ａ，８１ｂにおける下部には、上下方向に沿うガイドレール８２ａ，８２ｂが固定されており、このガイドレール８２ａ，８２ｂに沿って下部スライドカバー７９が昇降自在に支持されている。この場合、上部着脱カバー７７に対して、下部スライドカバー７９がその厚さ方向にずれて配置されており、下部スライドカバー７９が上昇したときには、上部着脱カバー７７と厚さ方向に重なることで、下部を解放することができる。また、下部スライドカバー７９が上部着脱カバー７７と重なった位置で、両方のカバー７７，７９を取外すことができる。
【０１００】
即ち、図８及び図９に示すように、下部スライドカバー７９は、左右の端部における上下の位置にガイドローラ８３ａ，８３ｂが回動自在に装着されており、各ガイドローラ８３ａ，８３ｂは、ガイドレール８２ａ，８２ｂに嵌合し、転動自在となっている。また、図８及び図１０に示すように、取付ブラケット８１ａ，８１ｂには、各ガイドレール８２ａ，８２ｂ内に係止孔８４ａ，８４ｂが形成されている。一方、下部スライドカバー７９は、左右の端部に係止爪８５ａ，８５ｂが水平方向に沿って移動自在に装着され、各係止爪８５ａ，８５ｂは連結ロッド８６ａ，８６ｂを介して操作ハンドル８７に連結されている。更に、下部スライドカバー７９は、左右一対の連結チェーン８８ａ，８８ｂを介して巻取ドラム８９ａ，８９ｂに連結されている。この巻取ドラム８９ａ，８９ｂ内には図示しない巻ばねが設けられており、連結チェーン８８ａ，８８ｂを介して下部スライドカバー７９を上方に付勢支持している。
【０１０１】
また、各安全カバー７４，７５にて、下部スライドカバー７９，８０の開閉状態（開放状態）を検出する検出スイッチ（検出器）９１，９２が設けられており、その検出結果が運転管理制御装置３５に入力可能となっている。そして、この運転管理制御装置３５は、２つの組合せユニットを設定してそれぞれ駆動制御するとき、検出スイッチ９１，９２の検出結果に応じて、給紙ユニットＲ１〜Ｒ４と印刷ユニットＵ１〜Ｕ３（Ｕ１１〜Ｕ３２）と折ユニットＦ１，Ｆ２のうちの対応するユニットの駆動を停止可能としている。この場合、検出スイッチ９１は、折ユニットＦ１の下部スライドカバー７９に対応し、検出スイッチ９２は、折ユニットＦ２の下部スライドカバー８０に対応している。
【０１０２】
即ち、運転管理制御装置３５は、例えば、上述したように、印刷パターンＩＤ１０１として（Ｒ１＋Ｒ４＋Ｕ１１＋Ｕ１２＋Ｕ３１＋Ｕ３２＋Ｄ１＋Ｄ２＋Ｆ１：Ｖ１）を記憶すると共に、印刷パターンＩＤ１０２として（Ｒ２＋Ｒ３＋Ｕ２１＋Ｕ２２＋Ｄ１＋Ｆ２：Ｖ２）を記憶する。このとき、検出スイッチ９１が下部スライドカバー７９の開放状態を検出（ＯＮ）したときには、運転管理制御装置３５は、印刷パターンＩＤ１０１で選択されている給紙ユニットＲ１，Ｒ４と、印刷ユニットＵ１１，Ｕ１２，Ｕ３１，Ｕ３２と、ウェブパスユニットＤ１，Ｄ２と、折ユニットＦ１の駆動を停止する。一方、検出スイッチ９２が下部スライドカバー８０の開放状態を検出（ＯＮ）したときには、運転管理制御装置３５は、印刷パターンＩＤ１０２で選択されている給紙ユニットＲ２，Ｒ３と、印刷ユニットＵ２１，Ｕ２２と、ウェブパスユニットＤ１と、折ユニットＦ２の駆動を停止する。
【０１０３】
具体的には、オペレータが、運転管理システム用操作パネル３６を用いて、印刷パターンＩＤ１０１と印刷パターンＩＤ１０２を選択して入力することで、２つの組合せユニットが設定される。そして、運転管理制御装置３５は、この印刷パターンＩＤ１０１，ＩＤ１０２を制御リンクに出力し、各給紙コントローラ２１〜２４、各印刷コントローラ２５〜３０、各ウェブパスコントローラ３１，３２、各折コントローラ３３，３４がこの印刷パターンＩＤ１０１を取り込み、各給紙ユニットＲ１〜Ｒ４、各印刷ユニットＵ１１〜Ｕ３２、各ウェブパスユニットＤ１，Ｄ２、各折ユニットＦ１，Ｆ２を駆動制御し、２種類の新聞を印刷する。
【０１０４】
このとき、検出スイッチ９１が下部スライドカバー７９の開放を検出すると、運転管理制御装置３５は、検出スイッチ９１からの開放信号に基づいて、印刷パターンＩＤ１０１として（Ｒ１＋Ｒ４＋Ｕ１１＋Ｕ１２＋Ｕ３１＋Ｕ３２＋Ｄ１＋Ｄ２＋Ｆ１：Ｖ０）を制御リンクに出力し、選択されている給紙ユニットＲ１，Ｒ４と、印刷ユニットＵ１１，Ｕ１２，Ｕ３１，Ｕ３２と、ウェブパスユニットＤ１（一部），Ｄ２と、折ユニットＦ１の駆動を停止する。この場合、Ｖ０が停止信号となる。一方、検出スイッチ９２が下部スライドカバー８０の開放を検出した場合でも、同様に、運転管理制御装置３５は、検出スイッチ９２からの開放信号に基づいて、印刷パターンＩＤ１０２に停止信号Ｖ０を加えて制御リンクに出力し、選択されている各ユニットの駆動を停止する。
【０１０５】
なお、運転管理制御装置３５が各ユニットの駆動を停止するということは、各ユニットへの電源の供給を停止することである。また、検出スイッチ９１が下部スライドカバー７９の開放を検出したとき、運転管理制御装置３５は、ウェブパスユニットＤ１，Ｄ２の駆動を停止するが、この場合、印刷パターンＩＤ１０１で設定されているウェブパスユニットＤ１の一部の駆動を停止する。
【０１０６】
また、本実施例の新聞用オフセット輪転印刷機では、同時に２種類の新聞を印刷することもできるが、多ページの１種類の新聞だけを印刷することもできる。即ち、オペレータから運転管理制御装置３５に対して、印刷パターンＩＤ１００として（Ｒ１＋Ｒ２＋Ｒ３＋Ｒ４＋Ｕ１１＋Ｕ１２＋Ｕ２１，Ｕ２２＋Ｕ３１＋Ｕ３２＋Ｄ１＋Ｄ２＋Ｆ１＋Ｆ２：Ｖ１）が入力される。すると、この運転管理制御装置３５は、この印刷パターンＩＤ１００を制御リンクに出力し、該当する給紙コントローラ２１〜２４と印刷コントローラ２５〜３０とウェブパスコントローラ３１，３２と折コントローラ３３，３４は、印刷パターンＩＤ１００に応じて、給紙ユニットＲ１〜Ｒ４と印刷ユニットＵ１１〜Ｕ３２とウェブパスユニットＤ１，Ｄ２と折ユニットＦ１，Ｆ２を駆動制御し、１種類の新聞を印刷する。
【０１０７】
このとき、検出スイッチ９１または９２のいずれか一方が下部スライドカバー７９または８０の開放を検出すると、運転管理制御装置３５は、検出スイッチ９１，９２からの開放信号に基づいて、印刷パターンＩＤ１００として（Ｒ１＋Ｒ２＋Ｒ３＋Ｒ４＋Ｕ１１＋Ｕ１２＋Ｕ２１，Ｕ２２＋Ｕ３１＋Ｕ３２＋Ｕ４１＋Ｕ４２＋Ｄ１＋Ｄ２＋Ｆ１＋Ｆ２：Ｖ０）を制御リンクに出力し、選択されている給紙ユニットＲ１〜Ｒ４と、印刷ユニットＵ１１〜Ｕ３２と、ウェブパスユニットＤ１，Ｄ２と、折ユニットＦ１，Ｆ２の駆動を停止する。
【０１０８】
この場合、全てのユニットを停止状態としたが、各ユニットのうち、使用していないユニットは既に停止時様態にあることから、停止信号を出力する必要はない。
【０１０９】
従って、図１３に示すように、ウェブＷ１が折ユニットＦ１側で処理され、ウェブＷ２が折ユニットＦ２で処理され、２種類の新聞が印刷されているとき、安全カバー７４，７５によりウェブＷ１の折ユニットＦ２側への侵入やウェブＷ２の折ユニットＦ１側への侵入が防止される。また、このとき、検出スイッチ９１が下部スライドカバー７９の開放を検出すると、運転管理制御装置３５は、対応するユニットの駆動を停止することで、ウェブＷ１の処理を停止する。一方、検出スイッチ９２が下部スライドカバー８０の開放を検出すると、運転管理制御装置３５は、対応するユニットの駆動を停止することで、ウェブＷ２の処理を停止する。
【０１１０】
また、図１４に示すように、ウェブＷが折ユニットＦ１，Ｆ２で処理され、１種類の新聞が印刷（所謂、両出し印刷）されているとき、安全カバー７４，７５により各ウェブＷの干渉が防止される。また、このとき、検出スイッチ９１が下部スライドカバー７９の開放を検出すると、運転管理制御装置３５は、全てのユニットの駆動を停止することで、ウェブＷの処理を停止する。また、検出スイッチ９２が下部スライドカバー８０の開放を検出すると、運転管理制御装置３５は、同様に、全てのユニットの駆動を停止することで、ウェブＷの処理を停止する。
【０１１１】
更に、図１５に示すように、折ユニットＦ１が停止し、ウェブＷが折ユニットＦ２で処理され、１種類の新聞が印刷（所謂、片出し印刷）されているとき、検出スイッチ９１が下部スライドカバー７９の開放を検出すると、運転管理制御装置３５は、折ユニットＦ２に関係する全てのユニットの駆動を停止することで、ウェブＷの処理を停止する。一方、検出スイッチ９２が下部スライドカバー８０の開放を検出しても、運転制御装置３５は、Ｆ２に連結する全てのユニットの駆動を停止することなく、ウェブＷの処理を継続したまま、Ｆ１のメンテナンス等の作業を可能とする。また、図１６に示すように、折ユニットＦ２が停止し、ウェブＷが折ユニットＦ１に転送されて処理され、１種類の新聞が印刷（所謂、転送出し印刷）されているとき、検出スイッチ９１または９２が下部スライドカバー７９または８０の開放を検出すると、運転管理制御装置３５は、全てのユニットの駆動を停止することで、ウェブＷの処理を停止する。
【０１１２】
また、図１７に示すように、ウェブＷ１が折ユニットＦ１側で処理され、ウェブＷ２が折ユニットＦ２で処理され、各ウェブＷ１，Ｗ２が集合して１種類の新聞が印刷（所謂、セクション印刷）されているとき、安全カバー７４，７５によりウェブＷ１とウェブＷ２の干渉が防止される。また、このとき、検出スイッチ９１または９２が下部スライドカバー７９または８０の開放を検出すると、運転管理制御装置３５は、全てのユニットの駆動を停止することで、ウェブＷの処理を停止する。
【０１１３】
このように本実施例の折機にあっては、複数の給紙ユニットＲ１〜Ｒ４を有する給紙装置Ｒと、ウェブに印刷を行う複数の印刷ユニットＵ１〜Ｕ３を有する印刷装置Ｕと、複数のウェブから折帖を形成する複数の折ユニットＦ１，Ｆ２を有する折機Ｆと、印刷ユニットＵ１〜Ｕ３から折ユニットＦ１，Ｆ２への搬送経路を変更可能なウェブパス装置Ｄと、複数組の組合せユニットを設定して駆動制御可能な運転管理制御装置３５とにより構成し、所定の組合せユニットにより搬送されるウェブと他の組合せユニットにより搬送されるウェブとの干渉を防止する仕切部材４１〜４４と、安全カバー７４，７５を設けている。
【０１１４】
従って、折機Ｆにて、仕切部材としての安全カバー７４，７５により２種類の組合せユニット間を搬送されるウェブＷ１，Ｗ２の干渉が防止され、２種類の印刷物（新聞）を同時に印刷可能とすることで、印刷作業の作業効率の向上を図ることができると共に、印刷作業の安全性を確保することができ、また、印刷品質を向上することができる。
【０１１５】
また、本実施例の印刷機では、折機Ｆを収容する部屋を設け、この部屋内に２つ折ユニットＦ１，Ｆ２を区画するように安全カバー７４，７５を配置している。従って、２種類の印刷が施された各ウェブＷ１，Ｗ２が干渉せずに、対応する折ユニットＦ１，Ｆ２に適正に搬送されることとなり、印刷作業の安全性を確保することができると共に、印刷品質を向上することができる。
【０１１６】
また、本実施例の印刷機では、安全カバー７４，７５により区画された各部屋を開閉自在としている。従って、各折ユニットＦ１，Ｆ２が配置された部屋を区画することができると共に、メンテナンスのためのオペレータの出入り可能となり、安全性と作業性の両立を可能とすることができる。
【０１１７】
また、本実施例の印刷機では、２つの安全カバー７４，７５の開閉状態を検出する複数の検出スイッチ９１，９２を設け、運転管理制御装置３５は、２つの組合せユニットを設定してそれぞれ駆動制御するとき、検出スイッチ９１，９２の検出結果に応じて、つまり、検出スイッチ９１，９２のいずれかが安全カバー７４，７５の開放状態を検出したとき、検出した側の安全カバー７４，７５に対応する各ユニットの駆動を停止可能としている。従って、組合せユニットごとに作業の継続と停止を切替えることができ、一方の組合せユニットが停止しても、他方の組合せユニットが停止することはなく、作業の安全性を確保することができると共に、メンテナンス性を向上することができる。
【０１１８】
また、本実施例の印刷機では、運転管理制御装置３５は、１つの組合せユニットを設定して駆動制御するとき、検出スイッチ９１，９２の検出結果に応じて、つまり、検出スイッチ９１，９２のいずれかが安全カバー７４，７５の開放状態を検出したとき、全てのユニットの駆動を停止可能としている。従って、１種類の印刷物（新聞）を印刷するとき、いずれの安全カバー７４，７５が開放されても全てのユニットが停止することとなり、作業の安全性を確保することができると共に、メンテナンス性を向上することができる。
【０１１９】
本実施例の印刷機では、部屋内で隣接する折ユニットＦ１，Ｆ２の間に２つの安全カバー７４，７５を配置している。従って、安全カバー７４，７５により異なるウェブＷ１，Ｗ２の干渉を防止することができ、構造の簡素化を可能とすることができる。
【０１２０】
また、本実施例の印刷機では、安全カバー７４，７５を、折ユニットＦ１，Ｆ２における折畳機構１０７，２０４に対向する上部着脱カバー７７，７８と、折ユニットＦ１，Ｆ２における排紙コンベア１０９，２０６に対向する下部スライドカバー７９，８０とで構成している。従って、ウェブＷの詰まりが発生したときには、下部スライドカバー７９，８０をスライドして作業を行い、故障などが発生したときには、上部着脱カバー７７，７８と下部スライドカバー７９，８０を取外してメンテナンス作業を行うこととなり、メンテナンス作業の安全性及び作業性を向上することができる。
【０１２１】
また、本実施例の印刷機では、２つの安全カバー７４，７５に区画される空間に対して出入り可能な開閉扉７６を設けている。従って、折機Ｆに対する安全性を向上することができると共に、遮音性を向上することができる。
【０１２２】
また、本実施例の印刷機では、各印刷ユニットＵ１〜Ｕ３で印刷されたウェブＷを各折ユニットＦ１，Ｆ２まで搬送するウェブ搬送経路にて、対向して搬送される各ウェブＷ１，Ｗ２の間に仕切部材４１，４２，４３，４４を配置している。従って、異なる印刷が施された２種類のウェブＷ１，Ｗ２が干渉せずに搬送されることとなり、印刷作業の安全性を確保することができると共に、印刷面の接触による損傷を防止して印刷品質を向上することができる。
【０１２３】
また、実施例の印刷機では、仕切部材４１，４２，４３，４４を、印刷ユニットＵ１〜Ｕ３から折ユニットＦ１，Ｆ２までウェブＷ１，Ｗ２を挿通させるときに、そのウェブ弛み部に配置している。従って、ウェブＷ１，Ｗ２の一方を搬送経路に挿通するとき、このウェブＷ１，Ｗ２が垂れ下がっても、仕切部材４１，４２，４３，４４により受け止められることとなり、ウェブＷ１，Ｗ２同士の接触を防止することができる。
【０１２４】
また、本実施例の印刷機では、ガイドローラにウェブＷが所定角度だけ巻き付けられて搬送されるウェブ搬送経路にて、仕切部材４１，４２，４３をガイドローラに巻き付けられるウェブの外側に配置している。従って、弛みやすい箇所でのウェブＷ１，Ｗ２同士の接触を適正に防止することができる。
【０１２５】
また、本実施例の印刷機では、ウェブＷ１の搬送方向の前後に配置される一対のガイドローラの下側にウェブＷ２が巻き付けられて搬送されるウェブ搬送経路にて、仕切部材４２をガイドローラに巻き付けられるウェブの下側に配置している。従って、弛みやすい箇所でのウェブＷ１，Ｗ２同士の接触を適正に防止することができる。
【０１２６】
また、本実施例の印刷機では、一対のウェブの距離が２０ｍｍ以内で搬送されるウェブ搬送経路にて、仕切部材４４を一対のウェブＷ１，Ｗ２の間に配置している。従って、弛みやすい箇所でのウェブＷ１，Ｗ２同士の接触を適正に防止することができる。
【０１２７】
また、本実施例の印刷機では、仕切部材４１，４２，４３，４４を、スリッタＳ１またはコンペンセータＣ１に設けている。従って、ウェブＷ１，Ｗ２が縦裁断されるとき、また、ウェブＷ１，Ｗ２の搬送方向における位置が調整されるとき、ウェブＷ１，Ｗ２同士の接触を適正に防止することができる。
【０１２８】
なお、上述した実施例では、検出スイッチ９１，９２の検出結果に応じて、対応するユニットの駆動だけを停止する場合と、全てのユニットの駆動を停止する場合の切換を、印刷パターンＩＤを用いて行ったが、この構成に限定されるものではない。例えば、電源部から各ユニットへの電源供給ラインに断接スイッチを設け、この断接スイッチを選択的にＯＮ／ＯＦＦするように構成してもよい。具体的には、１種類の新聞を印刷する作業と、複数の新聞を印刷する作業とで、断接スイッチの組合せを設定変更する切換スイッチを設け、検出スイッチ９１，９２がＯＮされたとき、設定された断接スイッチのみ切断するように構成すればよい。
【０１２９】
なお、上述した実施例では、新聞用オフセット輪転印刷機により同時に２枚の印刷物としての新聞を印刷可能としたが、折機の数を増加させたり、１つの折ユニットにより複数種類のウェブを折り畳み可能とすることで、同時に３種類以上の印刷物を印刷することも可能である。
【０１３０】
また、上述した実施例では、本発明の印刷機を新聞用オフセット輪転印刷機としたが、この印刷機に限定されるものではなく、商業用オフセット輪転印刷機などに適用することもできる。
【産業上の利用可能性】
【０１３１】
本発明に係る印刷機及び印刷方法は、所定の組合せユニットにより搬送されるウェブと他の組合せユニットにより搬送されるウェブとの干渉を防止する仕切部材を設けることで、異なる種類の印刷物を同時に印刷可能とすることで作業効率の向上を図ると共に、印刷作業の安全性を確保し、且つ、印刷品質の向上を可能とするものであり、いずれの印刷機にも適用することができる。
【符号の説明】
【０１３２】
Ｒ  給紙装置
Ｒ１〜Ｒ４  給紙ユニット
Ｕ  印刷装置
Ｕ１〜Ｕ３，Ｕ１１〜Ｕ３２  印刷ユニット
Ｄ  ウェブパス装置
Ｄ１，Ｄ２  ウェブパスユニット
Ｆ  折機
Ｆ１，Ｆ２  折ユニット
Ｗ  ウェブ
２１〜３４  コントローラ
３５  運転管理制御装置（制御装置）
３６  運転管理システム用操作パネル（操作装置）
４１，４２，４３，４４  仕切部材
５１ａ〜５１ｅ，５２ａ，５２ｂ  ガイドローラ
７１，７２ａ，７２ｂ，７３ａ，７３ｂ  仕切壁
７４，７５  安全カバー（仕切部材）
７６  開閉扉
７７，７８  上部着脱カバー
７９，８０  下部スライドカバー
９１，９２  検出スイッチ（検出器）
【図１】
2010274604.tif 000003
【図２】
2010274604.tif 000004
【図３】
2010274604.tif 000005
【図４】
2010274604.tif 000006
【図５】
2010274604.tif 000007
【図６】
2010274604.tif 000008
【図７】
2010274604.tif 000009
【図８】
2010274604.tif 000010
【図９】
2010274604.tif 000011
【図１０】
2010274604.tif 000012
【図１１】
2010274604.tif 000013
【図１２】
2010274604.tif 000014
【図１３】
2010274604.tif 000015
【図１４】
2010274604.tif 000016
【図１５】
2010274604.tif 000017
【図１６】
2010274604.tif 000018
【図１７】
2010274604.tif 000019